(57)【特許請求の範囲】
【請求項１】
ユーザ端末、サーバ、及び、施設に配される、順番待ちを受け付ける受付装置を備える情報処理システムであって、
前記ユーザ端末は、
画像を表示することが可能な表示部と、
前記サーバとの間で情報を送受信することが可能な通信部と、
前記施設においてユーザがサービスの提供を受けたい希望条件を受け付ける受付部と、
前記受付部によって受け付けた希望条件に関する条件情報を前記サーバに送信するよう前記通信部を制御する通信制御部と、
前記サーバに条件情報を送信することに応じて、前記サーバから送信された希望条件の受付に関する予約情報を前記通信部によって受信した場合、予約情報に基づく画像を前記表示部に表示する表示制御部と、を備え、
前記サーバは、
前記ユーザ端末との間で情報を送受信することが可能なサーバ通信部と、
前記サーバ通信部によって条件情報を受信した場合、条件情報に基づく希望条件に関する認証を行い、希望条件及び認証内容を含む予約に関する予約情報を生成する認証生成部と、
前記認証生成部によって生成された予約情報を前記ユーザ端末に送信するよう前記サーバ通信部を制御するサーバ制御部と、を備え、
前記受付装置は、
前記ユーザ端末の前記表示部に表示される予約情報に基づく画像を撮像するカメラ部と、
前記カメラ部によって撮像された画像に基づいて、認証内容を確認し、希望条件を取得する取得部と、
前記取得部によって取得した希望条件に基づいて、前記施設でのサービスの提供を受けるための順番待ちを登録する登録部と、を備える
情報処理システム。
【請求項２】
前記受付部は、希望条件として、ユーザがサービスの提供を受けようとする施設を指定する施設条件、ユーザがサービスの提供を受けようとする時間を指定する時間条件、及び、ユーザがサービスの提供を受けようとする人数を指定する人数条件のうち少なくとも１つの条件を受け付ける
請求項１に記載の情報処理システム。
【請求項３】
前記受付部は、前記通信部によって予約情報を受信できるようにするために、自端末を特定する特定情報を受け付け、
前記通信制御部は、条件情報及び特定情報を前記サーバに送信するよう前記通信部を制御する
請求項１又は２に記載の情報処理システム。
【請求項４】
前記通信部は、予約情報として、希望条件と、前記サーバにおいて希望条件に関する認証が行われることに応じて生成される認証内容とを含む情報を受信する
請求項１〜３のいずれか１項に記載の情報処理システム。
【請求項５】
ユーザ端末、サーバ、及び、施設に配され、順番待ちを受け付ける受付装置を備える情報処理方法であって、
画像を表示することが可能な表示部と、前記サーバとの間で情報を送受信することが可能な通信部とを備える前記ユーザ端末が、
前記施設においてユーザがサービスの提供を受けたい希望条件を受け付ける受付ステップと、
前記受付ステップで受け付けた希望条件に関する条件情報を前記サーバに送信するよう前記通信部を制御する通信制御ステップと、
前記サーバに条件情報を送信することに応じて、前記サーバから送信された希望条件の受付に関する予約情報を前記通信部によって受信した場合、予約情報に基づく画像を前記表示部に表示する表示制御ステップと、を実行し、
前記ユーザ端末との間で情報を送受信することが可能なサーバ通信部を備える前記サーバが、
前記サーバ通信部によって条件情報を受信した場合、条件情報に基づく希望条件に関する認証を行い、希望条件及び認証内容を含む予約に関する予約情報を生成する認証生成ステップと、
前記認証生成ステップによって生成された予約情報を前記ユーザ端末に送信するよう前記サーバ通信部を制御するサーバ制御ステップと、を実行し、
前記ユーザ端末の前記表示部に表示される予約情報に基づく画像を撮像するカメラ部を備える前記受付装置が、
前記カメラ部によって撮像された画像に基づいて、認証内容を確認し、希望条件を取得する取得ステップと、
前記取得ステップによって取得した希望条件に基づいて、前記施設でのサービスの提供を受けるための順番待ちを登録する登録ステップと、を実行する
情報処理方法。
【請求項６】
ユーザ端末、サーバ、及び、施設に配される、順番待ちを受け付ける受付装置それぞれで実行される情報処理プログラムであって、
前記ユーザ端末に、
画像を表示することが可能な表示機能と、
前記サーバとの間で情報を送受信することが可能な通信機能と、
前記施設においてユーザがサービスの提供を受けたい希望条件を受け付ける受付機能と、
前記受付機能によって受け付けた希望条件に関する条件情報を前記サーバに送信するよう前記通信機能を制御する通信制御機能と、
前記サーバに条件情報を送信することに応じて、前記サーバから送信された希望条件の受付に関する予約情報を前記通信機能によって受信した場合、予約情報に基づく画像を前記表示機能に表示する表示制御機能と、を実現させ、
前記サーバに、
前記ユーザ端末との間で情報を送受信することが可能なサーバ通信機能と、
前記サーバ通信機能によって条件情報を受信した場合、条件情報に基づく希望条件に関する認証を行い、希望条件及び認証内容を含む予約に関する予約情報を生成する認証生成機能と、
前記認証生成機能によって生成された予約情報を前記ユーザ端末に送信するよう前記サーバ通信機能を制御するサーバ制御機能と、を実現させ、
前記受付装置に、
前記ユーザ端末の前記表示機能に表示される予約情報に基づく画像を撮像するカメラ機能と、
前記カメラ機能によって撮像された画像に基づいて、認証内容を確認し、希望条件を取得する取得機能と、
前記取得機能によって取得した希望条件に基づいて、前記施設でのサービスの提供を受けるための順番待ちを登録する登録機能と、を実現させる
情報処理プログラム。
【発明の詳細な説明】
【技術分野】
【０００１】
本発明は、ユーザ端末、情報処理システム、情報処理方法及び情報処理プログラムに関する。
【背景技術】
【０００２】
従来から、飲食店等の店舗においてユーザの順番待ちを受け付けるシステムが存在する。特許文献１には、携帯端末からオンラインで店舗の順番待ちを受け付けることができる技術が記載されている。すなわち、特許文献１に記載された技術は、携帯端末において店舗の順番待ちを行うために必要な情報が入力されると、その入力された入力情報が携帯端末からサーバに送信され、サーバにおいて入力情報に基づいて順番待ちが登録される。また、特許文献１に記載された技術は、店舗に順番待ちを受け付ける受付装置を備え、受付装置によって受け付けた順番待ちもサーバに登録される。
【先行技術文献】
【特許文献】
【０００３】
【特許文献１】特開２０１８−１５１７７２号公報
【発明の概要】
【発明が解決しようとする課題】
【０００４】
しかしながら、特許文献１に記載された技術では、サーバと通信端末とを通信可能に接続する他にも、サーバと受付装置とを通信可能に接続する必要があり、順番待ちを受け付けるシステムの規模が大きくなり、コストも増大する。また、特許文献１に記載された技術は、店舗においても受付装置を介してサーバで順番待ちを受け付けるため、通信ネットワークに不具合が生じた場合には、店舗においても順番待ちの登録が行えない可能性がある。また、特許文献１に記載された技術は、店舗での順番待ちと、携帯端末を利用した順番待ちとが混在し、店舗でも順番待ちの処理方法（どのような順で順番待ちをしているユーザを席に案内するかの方法）が複雑になる恐れがある。
【０００５】
本発明は、従来よりも簡易な構成で施設における順番待ちを受け付けることが可能なユーザ端末、情報処理システム、情報処理方法及び情報処理プログラムを提供することを目的とする。
【課題を解決するための手段】
【０００６】
一態様のユーザ端末は、画像を表示することが可能な表示部と、外部にある外部装置との間で情報を送受信することが可能な通信部と、施設においてユーザがサービスの提供を受けたい希望条件を受け付ける受付部と、受付部によって受け付けた希望条件に関する条件情報を外部装置に送信するよう通信部を制御する通信制御部と、外部装置に条件情報を送信することに応じて、外部装置から送信される希望条件の受付に関する予約情報を通信部によって受信した場合、予約情報に基づく画像を表示部に表示する表示制御部と、を備える。
【０００７】
一態様のユーザ端末では、受付部は、希望条件として、ユーザがサービスの提供を受けようとする施設を指定する施設条件、ユーザがサービスの提供を受けようとする時間を指定する時間条件、及び、ユーザがサービスの提供を受けようとする人数を指定する人数条件のうち少なくとも１つの条件を受け付けることとしてもよい。
【０００８】
一態様のユーザ端末では、受付部は、通信部によって予約情報を受信できるようにするために、自端末を特定する特定情報を受け付け、通信制御部は、条件情報及び特定情報を外部装置に送信するよう通信部を制御することとしてもよい。
【０００９】
一態様のユーザ端末では、通信部は、予約情報として、希望条件と、外部装置において希望条件に関する認証が行われることに応じて生成される認証内容とを含む情報を受信することとしてもよい。
【００１０】
一態様の情報処理システムは、ユーザ端末、サーバ、及び、施設に配される、順番待ちを受け付ける受付装置を備え、ユーザ端末は、画像を表示することが可能な表示部と、サーバとの間で情報を送受信することが可能な通信部と、施設においてユーザがサービスの提供を受けたい希望条件を受け付ける受付部と、受付部によって受け付けた希望条件に関する条件情報をサーバに送信するよう通信部を制御する通信制御部と、サーバに条件情報を送信することに応じて、サーバから送信された希望条件の受付に関する予約情報を通信部によって受信した場合、予約情報に基づく画像を表示部に表示する表示制御部と、を備え、サーバは、ユーザ端末との間で情報を送受信することが可能なサーバ通信部と、サーバ通信部によって条件情報を受信した場合、条件情報に基づく希望条件に関する認証を行い、希望条件及び認証内容を含む予約に関する予約情報を生成する認証生成部と、認証生成部によって生成された予約情報をユーザ端末に送信するようサーバ通信部を制御するサーバ制御部と、を備え、受付装置は、ユーザ端末の表示部に表示される予約情報に基づく画像を撮像するカメラ部と、カメラ部によって撮像された画像に基づいて、認証内容を確認し、希望条件を取得する取得部と、取得部によって取得した希望条件に基づいて、施設でのサービスの提供を受けるための順番待ちを登録する登録部と、を備える。
【００１１】
一態様の情報処理方法では、画像を表示することが可能な表示部と、外部にある外部装置との間で情報を送受信することが可能な通信部と、を備えるコンピュータが、施設においてユーザがサービスの提供を受けたい希望条件を受け付ける受付ステップと、受付ステップで受け付けた希望条件に関する条件情報を外部装置に送信するよう通信部を制御する通信制御ステップと、外部装置に条件情報を送信することに応じて、外部装置から送信された希望条件の受付に関する予約情報を通信部によって受信した場合、予約情報に基づく画像を表示部に表示する表示制御ステップと、を実行する。
【００１２】
一態様の情報処理プログラムは、コンピュータに、画像を表示することが可能な表示機能と、外部にある外部装置との間で情報を送受信することが可能な通信機能と、施設においてユーザがサービスの提供を受けたい希望条件を受け付ける受付機能と、受付機能によって受け付けた希望条件に関する条件情報を外部装置に送信するよう通信機能を制御する通信制御機能と、外部装置に条件情報を送信することに応じて、外部装置から送信された希望条件の受付に関する予約情報を通信機能によって受信した場合、予約情報に基づく画像を表示機能に表示する表示制御機能と、を実現させる。
【発明の効果】
【００１３】
一態様のユーザ端末は、施設においてユーザがサービスの提供を受けたい希望条件を受け付け、希望条件に関する条件情報を外部装置に送信するよう制御すると共に、外部装置に条件情報を送信することに応じて、外部装置から送信される希望条件の受付に関する予約情報を通信部によって受信した場合、予約情報に基づく画像を表示部に表示するよう制御するので、従来よりも簡易な構成で施設における順番待ちを受け付けることができる。
また、一態様の情報処理システム、情報処理方法及び情報処理プログラムは、上述した一態様のユーザ端末と同様の効果を奏することができる。
【図面の簡単な説明】
【００１４】
【図１】一実施形態に係る情報処理システムについて説明するための図である。
【図２】一実施形態に係るユーザ端末について説明するためのブロック図である。
【図３】ユーザ端末の表示部に表示される画面の遷移図である。（Ａ）〜（Ｃ）は、第１〜３画面の一例を示す図である。
【図４】一実施形態に係るサーバについて説明するためのブロック図である。
【図５】一実施形態に係る受付装置について説明するためのブロック図である。
【図６】一実施形態に係り、ユーザ端末で実行される情報処理方法について説明するためのフローチャートである。
【図７】一実施形態に係り、情報処理システムで実行される情報処理方法について説明するためのフローチャートである。
【発明を実施するための形態】
【００１５】
以下、本発明の一実施形態について説明する。
本明細書では、「情報」の文言を使用しているが、「情報」の文言は「データ」と言い換えることができ、「データ」の文言は「情報」と言い換えることができる。
【００１６】
図１は、一実施形態に係る情報処理システム１について説明するための図である。
情報処理システム１は、ユーザ端末１０、サーバ２０及び受付装置３０を備える。
【００１７】
情報処理システム１の概略は、ユーザが所有するユーザ端末１０から、そのユーザがサービスの提供を希望する施設２の予約を行うシステムである。
【００１８】
ユーザ端末１０は、ユーザが所有する端末である。ユーザ端末１０は、例えば、スマートフォン及びタブレット等の携帯可能な端末である。
ユーザ端末１０には、ユーザが施設２でサービスの提供を受けるための希望条件を入力することが可能なアプリケーション（登録アプリケーション）がインストールされている。ユーザ端末１０には、登録アプリを起動させた状態で、ユーザの操作に基づいて、例えば、サービスの提供を希望する施設、サービスの提供を受けるための時間帯、及び、サービスの提供を受ける人数等の希望条件が入力される。なお、希望条件として、上述した３つの条件のうちの少なくとも１つが入力されるようになっていてもよく、上述した３つの条件以外の他の条件が入力されるようになっていてもよい。施設２は、例えば、飲食店等の店舗、トレーニングジム、病院及び歯科病院等を始めとする種々の施設であってよい。
【００１９】
ユーザ端末１０は、希望条件が入力されると、希望条件に関する条件情報をサーバ２０に送信する。また、ユーザ端末１０は、条件情報をサーバ２０に送信することに応じて、サーバ２０から返信された希望条件の受付に関する予約情報を受信する。ユーザ端末１０は、予約情報に基づく画像１８を表示部１５に表示することが可能である。
【００２０】
サーバ２０は、ユーザ端末１０から送信された条件情報を受信する。サーバ２０は、条件情報を受信すると、条件情報について認証を行い、例えば、トークンとして予約情報をユーザ端末１０に返信する。予約情報には、例えば、条件情報及び認証に関する情報が含まれる。認証に関する情報は、例えば、ハッシュ値等であってもよい。また、予約情報には、サーバによって条件情報が登録された日時（登録日時）が含まれてもよい。
【００２１】
受付装置３０は、施設２に配される。受付装置３０は、ユーザ端末１０の表示部１５に表示される予約情報に基づく画像１８を読み取り、ユーザが施設２に到着したことを登録する。受付装置３０は、例えば、サーバ２０と共通の認証に関する鍵（認証鍵）等を持っており、サーバ２０で認証された予約情報を受け付けることが可能である。受付装置３０は、現在、施設２において複数のユーザが順番待ちをしている場合には、受け付けた予約情報に基づいてユーザの順番待ちを登録する。
【００２２】
受付装置３０は、ユーザが順番待ちをしている場合には、施設２で提供するサービスを選択するように促してもよい。例えば、受付装置３０は、ユーザに提供するサービスを選択させる画面をユーザ端末１０の表示部１５に表示させるために、所定の画像を出力することとしてもよい。一例として、受付装置３０は、施設２が飲食店の場合には、ユーザが提供を希望する料理を選択させる画面をユーザ端末１０の表示部１５に表示させるために、所定の画像を出力することとしてもよい。
ユーザ端末１０は、所定の画像を読み取ることにより、提供されるサービスを選択する画面を表示部１５に表示する。ユーザ端末１０は、ユーザの操作に基づいてサービスが選択された場合、例えば、選択されたサービス内容を受付装置３０等に送信することとしてもよい。
【００２３】
以下、情報処理システム１について詳細に説明する。
まず、ユーザ端末１０について説明する。
図２は、一実施形態に係るユーザ端末１０について説明するためのブロック図である。
【００２４】
ユーザ端末１０は、表示部１５、記憶部１７、通信部１６、受付部１２、通信制御部１３及び表示制御部１４を備える。受付部１２、通信制御部１３及び表示制御部１４は、ユーザ端末１０の制御部１１（演算処理装置）の一機能として実現されてもよい。
【００２５】
表示部１５は、画像を表示することが可能である。この場合、画像には文字が含まれてもよい。
【００２６】
記憶部１７は、例えば、種々のアプリケーション等を記憶する。記憶部１７に記憶されるアプリケーションの一例は、ユーザが施設２でサービスの提供を受けるための希望条件を入力することが可能な登録アプリケーションである。なお、表示部１５、記憶部１７、通信部１６、受付部１２、通信制御部１３及び表示制御部１４は、登録アプリケーションの動作に基づいて機能を実現することとしてもよい。
【００２７】
通信部１６は、外部にある外部装置との間で情報を送受信することが可能である。外部装置は、例えば、サーバ２０である。
通信部１６は、後述するように、通信制御部１３の制御に基づいて、条件情報をサーバ２０に送信する。条件情報は、ユーザが施設２においてサービスの提供を受ける際に希望する条件（希望条件）に関する情報である。
また、通信部１６は、サーバ２０から送信された予約情報を受信する。通信部１６は、予約情報として、希望条件と、サーバ２０において希望条件に関する認証が行われることに応じて生成される認証内容とを含む情報を受信することとしてもよい。認証内容は、例えば、ユーザの希望条件で予約が取れた（施設においてサービスを提供することができる）ことを認証したものであってもよく、ユーザが施設に入場した際にその施設に配される受付装置３０において希望条件（予約内容）で予約が取れていることを確認するためのものであってもよく、ユーザを認証するものであってもよい。サーバ２０で行われる認証の内容は、トークンであってもよい。予約情報は、例えば、２次元情報コード等であってもよい。２次元情報コードは、例えば、ＱＲ（Ｑｕｉｃｋ  Ｒｅｓｐｏｎｓｅ）コード（登録商標）及び２次元バーコード等であってもよい。すなわち、２次元情報コードに、希望条件及び認証内容に関する情報が記録される。
【００２８】
受付部１２は、施設２においてユーザがサービスの提供を受けたい希望条件を受け付ける。この場合、受付部１２は、希望条件として、施設条件、時間条件及び人数条件のうち少なくとも１つの条件を受け付けることとしてもよい。
【００２９】
施設条件は、ユーザがサービスの提供を受けようとする施設を指定する条件である。例えば、施設２が飲食業のチェーン店の場合には、店舗を特定する条件である。
この場合、施設条件は、同一業種の店舗（例えば、寿司店）の中からいずれかの店舗（例えば、Ａ店、Ｂ店及びＣ店）を特定する条件であってもよい。一例として、施設条件は、複数の店舗「〇〇寿司Ａ店」、「〇〇寿司Ｂ店」及び「〇〇寿司Ｃ店」の中から、ユーザが入店を希望する「〇〇寿司Ａ店」を特定する条件である。
【００３０】
具体的な一例として、受付部１２は、ユーザによって入店を希望する店舗が所在する地域が指定されることにより、制御部１１によって指定された地域に所在する店舗が検索された結果の中から、ユーザによって１つの店舗が指定されることにより、施設条件を受け付けてもよい。
また、具体的な一例として、受付部１２は、ＧＮＳＳ（Ｇｌｏｂａｌ  Ｎａｖｉｇａｔｉｏｎ  Ｓａｔｅｌｉｔｔｅ  Ｓｙｓｔｅｍ）等を利用して位置情報（ユーザ端末１０の現在位置）が取得された場合、制御部１１によって現在位置付近の店舗を検索して、検索結果として１又は複数の店舗を提示し、ユーザによって１つの店舗が指定されることにより、施設条件を受け付けてもよい。
また、具体的な一例として、受付部１２は、ユーザによって店舗に関する検索ワード（店名に含まれる文字、店舗の所在する地域、及び、店舗で提供する料理等）が入力されることに基づいて、制御部１１によって検索された結果の中から、ユーザによって１つの店舗が指定されることにより、施設条件を受け付けてもよい。
【００３１】
また、施設条件は、異なる業種の店舗（例えば、和食店、洋食店、寿司店及びステーキ店等）の中からいずれかの店舗を特定する条件であってもよい。
施設２の位置及び施設２で提供されるサービス内容等を始めとする施設に関する種々の情報は、登録アプリケーションに関連する情報として記憶部１７に記憶されていてもよく、サーバ２０等の外部の記憶部に記憶されてもよい。
なお、受付部１２は、上記の例に限定されることはなく、種々の方法によりユーザがサービスの提供を希望する施設２が指定されることに基づいて、施設条件を受け付けてもよい。
【００３２】
時間条件は、ユーザがサービスの提供を受けようとする時間を指定する条件である。時間条件として指定される上述した「時間」には、ユーザがサービスの提供を希望する日付及び時間が含まれてもよい。時間条件は、例えば、ユーザが施設２に到着する時間を指定する条件であってもよく、ユーザがサービスの提供を受ける時間を指定する条件であってもよい。時間条件は、時間的に幅を持つ時間帯を指定する条件であってもよい。この場合の時間条件は、一例として、ユーザが施設２に到着する時間帯、又は、ユーザがサービスの提供を受ける時間帯（一例として、開始時間帯等）を指定する条件であってもよい。具体的な一例として、受付部１２は、ユーザによって「１８：００〜１８：３０」等の時間帯を指定されることにより、時間条件を受け付ける。
【００３３】
この場合、具体的な一例として、表示制御部１４は、複数の時間（時間帯）を示すボタンを表示部１５に表示させてもよい。受付部１２は、ユーザによっていずれかのボタンが操作された場合に、操作されたボタンに対応する時間（時間帯）を時間条件として受け付けることとしてもよい。
また、具体的な一例として、表示制御部１４は、複数の時間（時間帯）が示されたプルダウンメニューを表示部１５に表示させてもよい。受付部１２は、ユーザによってプルダウンメニューの中からいずれかの時間（時間帯）が選択された場合に、選択された時間（時間帯）を時間条件として受け付けることとしてもよい。
なお、受付部１２は、上記の例に限定されることはなく、種々の方法によりユーザがサービスの提供を希望する時間（時間帯）が指定されることに基づいて、時間条件を受け付けてもよい。
【００３４】
人数条件は、ユーザがサービスの提供を受けようとする人数を指定する条件である。人数条件は、施設２に入場するユーザが複数人によるグループで入場する場合には、グループを構成する人数を指定する条件である。また、人数条件は、ユーザが１名で施設２に入場する場合には、その人数（１名）を指定する条件である。
【００３５】
この場合、具体的な一例として、表示制御部１４は、人数を入力する入力欄を含む入力画面を表示部１５に表示させてもよい。受付部１２は、ユーザの操作に基づいて入力欄に人数が入力された場合、入力された人数を人数条件として受け付けることとしてもよい。
また、具体的な一例として、表示制御部１４は、１又は複数の人数が示されたプルダウンメニューを表示部１５に表示させてもよい。受付部１２は、ユーザによってプルダウンメニューの中からいずれかの人数が選択された場合に、選択された人数を人数条件として受け付けることとしてもよい。
なお、受付部１２は、上記の例に限定されることはなく、種々の方法によりユーザがサービスの提供を希望する人数が指定されることに基づいて、人数条件を受け付けてもよい。
【００３６】
希望条件は、上述した３つの例に限定されることはなく、種々の条件が指定されてもよい。例えば、施設２が肉料理を提供する飲食店の場合には、ユーザが提供を希望する料理（例えば、焼き肉、しゃぶしゃぶ及び鉄板焼き等）を指定する条件が希望条件に含まれていてもよい。
【００３７】
受付部１２は、通信部１６によって予約情報を受信できるようにするために、自端末（ユーザ端末１０）を特定する特定情報を受け付けることとしてもよい。特定情報は、例えば、ユーザ端末１０で利用することができるメールアドレス等に関する情報であってもよい。
【００３８】
通信制御部１３は、受付部１２によって受け付けた希望条件に関する条件情報をサーバ２０に送信するよう通信部１６を制御する。この場合、通信制御部１３は、特定情報をサーバ２０に送信するよう通信部１６を制御する。通信制御部１３は、条件情報と特定情報とを関連付けて別々に送信してもよく、条件情報と特定情報とをまとめて１つの情報として送信してもよい。
【００３９】
表示制御部１４は、サーバ２０に条件情報を送信することに応じて、サーバ２０から送信される希望条件の受付に関する予約情報を通信部１６によって受信した場合、予約情報に基づく画像１８を表示部１５に表示する。例えば、ユーザが施設２に入場して受付装置３０に対して受付の登録を行う際、ユーザによって予約情報に基づく画像１８を表示部１５に表示する操作がされると、表示制御部１４は、予約情報に基づく画像１８を表示部１５に表示させる。
【００４０】
図３は、ユーザ端末１０の表示部１５に表示される画面の遷移図である。図３（Ａ）〜（Ｃ）は、第１〜３画面の一例を示す。
表示制御部１４は、登録アプリケーションが起動された場合、順番待ちを登録する第１画面を表示部１５に表示する（図３（Ａ））。例えば、第１画面には、施設を選択する欄が配される。第１画面では、プルダウンメニュー等により複数の店舗のうち１つ（例えば「〇〇寿司Ａ店」等）を選択可能となっている。
【００４１】
表示制御部１４は、施設が選択された場合、人数、メールアドレス、サービスの提供を受ける希望日時を入力する第２画面を表示部１５に表示する（図３（Ｂ））第２画面では、例えば、プルダウンメニュー等によりサービスの提供を受ける人数（グループを構成する人数）が選択可能となっている。第２画面では、特定情報（例えば、メールアドレス等）を入力可能となっている。また、第２画面では、ユーザがサービスの提供を希望する日時（予約日時）が選択可能となっている。この場合、例えば、第２画面には、日及び時間を示すボタンが表示され、ボタンが操作されることにより、対応する日時を選択可能となっている。
【００４２】
表示制御部１４は、予約情報を受信した場合、予約情報を示す画像（２次元情報コード（図３（Ｃ）に示す場合にはＱＲコード））が含まれる第３画面を表示部１５に表示する（図３（Ｃ））。第３画面には、予約をキャンセルする場合の「キャンセル」に関する情報が含まれてもよい。
【００４３】
次に、サーバ２０について説明する。
図４は、一実施形態に係るサーバ２０について説明するためのブロック図である。
【００４４】
サーバ２０は、サーバ通信部２４、認証生成部２２及びサーバ制御部２３を備える。認証生成部２２及びサーバ制御部２３は、サーバ２０の制御部２１（例えば、主制御部）（演算処理装置）の一機能として実現されてもよい。
【００４５】
サーバ通信部２４は、ユーザ端末１０との間で情報を送受信することが可能である。例えば、サーバ通信部２４は、ユーザ端末１０によって送信された条件情報を受信する。例えば、条件情報には、特定情報が含まれている。また、例えば、サーバ通信部２４は、予約情報をユーザ端末１０に送信する。この場合、サーバ通信部２４は、条件情報を送信したユーザ端末１０を特定情報に基づいて特定し、その特定情報で特定されるそのユーザ端末１０に対して予約情報を送信する。
【００４６】
認証生成部２２は、サーバ通信部２４によって条件情報を受信した場合、条件情報に基づく希望条件に関する認証を行い、希望条件及び認証内容を含む予約に関する予約情報を生成する。認証生成部２２は、認証として希望条件に対するトークンを生成し、希望条件及びトークンを含む予約情報を生成する。予約情報は、上述したように、例えば２次元情報コードであってもよい。
【００４７】
サーバ制御部２３は、認証生成部２２によって生成された予約情報をユーザ端末１０に送信するようサーバ通信部２４を制御する。この場合、サーバ制御部２３は、上述したように、特定情報に基づいてユーザ端末１０を特定する。
【００４８】
次に、受付装置３０について説明する。
図５は、一実施形態に係る受付装置３０について説明するためのブロック図である。
【００４９】
受付装置３０は、施設２に配される。受付装置３０は、ユーザが施設２に到着したこと、すなわち、ユーザの順番待ちを受け付ける。そのような受付装置３０は、カメラ部３４、受付表示部３５、取得部３２及び登録部３３を備える。取得部３２及び登録部３３は、受付装置３０の制御部３１（演算処理装置）の一機能として実現されてもよい。
【００５０】
カメラ部３４は、ユーザ端末１０の表示部１５に表示される予約情報に基づく画像１８（例えば、２次元情報コード等）を撮像する。カメラ部３４は、撮像により得られた画像データを取得部３２に提供する。
受付表示部３５は、画像及び文字等を表示する。
【００５１】
取得部３２は、カメラ部３４によって撮像された画像１８に基づいて、認証内容を確認し、希望条件を取得する。取得部３２は、画像１８（２次元情報コード）に記録される、認証内容を確認する。取得部３２は、例えば、サーバ２０で認証が行われる際の鍵（認証鍵）と共通の鍵を備え、その鍵を利用して、２次元情報コードに記録される希望条件がサーバ２０によって認証されているものかを確認する。取得部３２は、例えば、認証内容を確認すると、希望条件が正規なものとしてその希望条件を取得する。取得部３２は、希望条件に、例えば、施設条件、時間条件及び人数条件の少なくとも１つが含まれている場合には、その条件を取得する。
【００５２】
登録部３３は、取得部３２によって希望条件を取得すると、希望条件を設定したユーザが施設２へ到着したことを受け付ける。施設２において複数のユーザが順番待ちをしていない場合、ユーザにはサービスが提供される。具体的な一例として、施設２が飲食店の場合、その飲食店において順番待ちが発生していなければ、ユーザは、希望条件に応じてテーブル等へ案内される。
【００５３】
登録部３３は、施設２において順番待ちが生じている場合、取得部３２によって取得した希望条件に基づいて、施設２でのサービスの提供を受けるための順番待ちを登録する。登録部３３は、例えば、施設２において１又は複数のユーザ（グループ）によって既に順番待ちが発生している場合には、希望条件に応じてユーザにサービスを提供するように、順番待ちを登録する。この場合、希望条件に時間条件が含まれる場合には、時間条件で設定された時間（時間帯）にユーザにサービスが提供できるように、順番待ちを登録する。
【００５４】
登録部３３は、例えば、ユーザ端末１０及びサーバ２０を介することなく、施設２に配される受付装置３０に対して直接順番待ちを登録した他のユーザ（グループ）（一例として、他のユーザ（グループ）Ａ〜Ｃ）の３組によって既に順番待ちが生じている場合、取得部３２によって２次元情報コードに基づく希望条件を取得すると（ユーザＤが所有するユーザ端末１０の表示部１５に表示される２次元コードを受付装置３０が読み取った場合）、他のユーザＡ〜Ｃの順番待ちの最後にユーザＤの順番待ちを登録する。次に、登録部３３は、計時される現在時刻が希望条件に含まれる時間条件の時間に到達した場合、ユーザＤの順番待ちの順位を先頭に繰り上げる。現在時刻において他のユーザＡ〜Ｃが順番待ちをしていた場合には、ユーザＤの順番待ちの順位を他のユーザＡ〜Ｃの順番待ちの先頭に移動させる。これにより、施設２の従業員は、登録部３３によって登録された順番待ちのリスト順に従ってユーザＤ及び他のユーザＡ〜Ｃにサービスを提供することにより、ユーザ端末１０及びサーバ２０を介した予約（ユーザＤ）と、ユーザ端末１０及びサーバ２０を介さない順番受付（ユーザＡ〜Ｃ）とが混在する場合でも、予約順（受付順）にサービスを提供することが可能になる。
【００５５】
受付装置３０は、上述したように、ユーザ端末１０の表示部１５に表示される予約情報に基づく画像１８（例えば、２次元情報コード等）を読み取ることにより、そのユーザ端末１０を所有するユーザ（ユーザＤ）の順番待ちを受け付ける。また、受付装置３０は、ユーザ端末１０を利用して予約を行うことなく入場した他のユーザ（ユーザＡ〜Ｃ）の順番待ちも受け付けることが可能である。この場合、受付装置３０は、例えば、他のユーザが受付表示部３５に表示される「受付ボタン」を操作した場合に、サーバ２０を介すことなく、他のユーザの順番待ちを受け付けることとしてもよい。受付装置３０は、順番待ちに関するリスト情報を有し、ユーザＡ〜ＣとユーザＤの順番待ちを同一のリスト情報で管理することとしてもよい。
【００５６】
また、受付装置３０は、ユーザ端末１０の表示部１５に表示される２次元情報コードを読み取ることにより、ユーザの順番待ちを受け付けた場合には、ユーザ端末１０においてユーザにサービスを提供する内容を選択させる画面を表示させるために、所定の情報を出力することとしてもよい。一例として、受付装置３０の制御部３１は、施設２が飲食店の場合には、料理を選択させるための画面をユーザ端末１０の表示部１５に表示させるよう、受付装置３０の受付表示部３５に２次元情報コードＡ（所定の情報）を表示することとしてもよい。また、受付装置３０の制御部３１は、２次元情報コードＡ（所定の情報）を受付表示部３５に表示する代わりに、２次元情報コードＡ（所定の情報）が印刷された用紙を出力することとしてもよい。２次元情報コードＡは、例えば、ＱＲコード及び２次元バーコードであってよい。２次元情報コードＡは、料理を選択する画面をユーザ端末１０の表示部１５に表示するための情報（一例として、ＵＲＬ等）であってもよい。
【００５７】
ユーザ端末１０は、カメラ部（図示せず）によって２次元情報コードＡを読み取ることにより、料理を選択する画面を表示部１５に表示する。ユーザ端末１０は、ユーザによって料理が選択されると、選択した情報（料理内容）を受付装置３０に送信する。なお、ユーザ端末１０は、受付装置３０に選択した情報を送信する代わりに、施設２に配される他の装置（注文受付装置（一例として、ＰＯＳ（Ｐｏｉｎｔ  ｏｆ  Ｓａｌｅ）システム）等）（図示せず）に選択した情報を送信することとしてもよい。これにより、施設２の従業員は、ユーザが順番待ちをしている間に調理を行い、そのユーザが座席に着席してから相対的に短い時間で料理を提供することが可能になる。
【００５８】
なお、上述した情報処理システム１は、１つの特定情報（例えば、メールアドレス等）につき予約を行える数が設定されていてもよい。
この場合、情報処理システム１は、ユーザ端末１０を利用して施設２の予約をしたことに応じて、そのユーザ端末１０を所有するユーザがその施設２に入場している場合には、そのユーザを優良ユーザとしてサーバ２０及び受付装置３０等に登録してもよい。情報処理システム１は、優良ユーザとして登録されたユーザに紐づくメールアドレスで予約を行える数を、基準時（例えば、初回予約時）に対して増やしてもよい。
一方、情報処理システム１は、ユーザ端末１０を利用して施設２の予約をしたにもかかわらず、そのユーザ端末１０を所有するユーザが無断で施設２を利用しなかった場合には、不良ユーザとしてサーバ２０及び受付装置３０等に登録してもよい。この場合、情報処理システム１は、ユーザ端末１０を利用して施設２を予約したにもかかわらず、ユーザが施設２を利用しなかった回数が所定回数以上ある場合に、不良ユーザとして登録することとしてもよい。情報処理システム１は、不良ユーザとして登録されたユーザに紐づくメールアドレスで予約を行える数を、基準時（例えば、初回予約時）に対して減らしてもよい。
なお、情報処理システム１は、ユーザ端末１０を利用して施設２の予約をしたにもかかわらず、そのユーザ端末１０を所有するユーザが施設２を利用しない場合、そのユーザ端末１０から予め予約のキャンセルが行われている際には、不良ユーザに関するカウントを行わなくともよい。ユーザ端末１０は、例えば、ユーザによって予約のキャンセルに関する操作が行われた場合、キャンセル情報をサーバ２０等に送信することとしてもよい。
【００５９】
次に、一実施形態に係る情報処理方法について説明する。
まず、ユーザ端末１０で実行される情報処理方法について説明する。
図６は、一実施形態に係り、ユーザ端末１０で実行される情報処理方法について説明するためのフローチャートである。
【００６０】
ステップＳＴ１０１において、受付部１２は、施設２においてユーザがサービスの提供を受けたい希望条件を受け付ける。この場合、受付部１２は、希望条件として、施設条件、時間条件及び人数条件のうち少なくとも１つの条件を受け付けることとしてもよい。この場合、受付部１２は、特定条件も受け付けることとしてもよい。
【００６１】
ステップＳＴ１０２において、通信制御部１３は、ステップＳＴ１０１において受け付けた希望条件に関する条件情報をサーバ２０に送信するよう通信部１６を制御する。この場合、通信制御部１３は、特定情報をサーバ２０に送信するよう通信部１６を制御する。
【００６２】
ステップＳＴ１０３において、通信部１６は、ステップＳＴ１０２でサーバ２０に条件情報を送信することに応じて、サーバ２０から送信される希望条件の受付に関する予約情報を受信する。すなわち、通信部１６は、予約情報として、希望条件と、サーバ２０において希望条件に関する認証されることに応じて生成される認証内容とを含む情報を受信する。
【００６３】
ステップＳＴ１０４において、表示制御部１４は、ステップＳＴ１０３で予約情報を受信した場合、予約情報に基づく画像１８を表示部１５に表示する。例えば、ユーザが施設２に入場して受付装置３０に対して受付の登録を行う際、ユーザによって予約情報に基づく画像１８を表示部１５に表示する操作がされると、表示制御部１４は、予約情報に基づく画像１８を表示部１５に表示させる。予約情報に基づく画像１８は、例えば、２次元情報コードである。
【００６４】
なお、ステップＳＴ１０４の処理の後、ユーザ端末１０の制御部１１は、カメラ部（図示せず）によって所定の画像（２次元情報コードＡ）を読み取った場合、２次元情報コードに基づいてサービス内容を選択する選択画面を表示するよう表示部１５を制御することとしてもよい。ユーザ端末１０の制御部１１は、提供を希望するサービス内容の選択を受け付けた場合、選択されたサービス内容を受付装置３０等に送信するよう通信部１６を制御することとしてもよい。
【００６５】
次に、情報処理システム１で実行される情報処理方法について説明する。
図７は、一実施形態に係り、情報処理システム１で実行される情報処理方法について説明するためのフローチャートである。
【００６６】
ステップＳＴ２０１において、ユーザ端末１０は、施設２においてユーザがサービスの提供を受けたい希望条件を受け付ける。この場合、ユーザ端末１０は、特定条件も受け付ける。
【００６７】
ステップＳＴ２０２において、ユーザ端末１０は、ステップＳＴ２０１で受け付けた希望条件及び特定条件をサーバ２０に送信する。
【００６８】
ステップＳＴ２０３において、サーバ２０は、ステップＳＴ２０２でユーザ端末１０から送信された希望条件に対して認証を行ってトークンを生成する。
【００６９】
ステップＳＴ２０４において、サーバ２０は、ステップＳＴ２０３での認証結果（トークン）と、希望条件とを含む予約情報を生成する。
【００７０】
ステップＳＴ２０５において、サーバ２０は、ステップＳＴ２０３で生成された予約情報をユーザ端末１０に送信する。
【００７１】
ステップＳＴ２０６において、ユーザ端末１０は、ステップＳＴ２０４でサーバ２０から送信された予約情報を受信すると、予約情報に基づく画像１８を表示部１５に表示する。予約情報に基づく画像１８は、例えば、２次元情報コード等である。
【００７２】
ステップＳＴ２０７において、受付装置３０は、ステップＳＴ２０５でユーザ端末１０の表示部１５に表示される２次元情報コードを読み取る。受付装置３０は、２次元情報コード（予約情報）に記録される認証内容を確認する。例えば、受付装置３０は、ステップＴ２０３においてサーバ２０で認証を行う際の鍵（認証鍵）と共通の鍵を備え、その鍵を利用して、予約情報に記録される認証を確認することとしてもよい。
【００７３】
ステップＳＴ２０８において、受付装置３０は、２次元情報コード（予約情報）から希望条件を取得する。
【００７４】
ステップＳＴ２０９において、受付装置３０は、ステップＳＴ２０７で取得した希望条件に基づいて、ユーザの施設２への入場を登録する。すなわち、受付装置３０は、ユーザの順番待ちを登録する。
【００７５】
ステップＳＴ２０９の処理の後、受付装置３０は、ユーザ端末１０においてユーザにサービスを提供する内容を選択させる画面を表示させるための所定の情報（２次元情報コードＡ等）を出力することとしてもよい。
ユーザ端末１０は、カメラ部（図示せず）によって所定の情報（２次元情報コードＡ等）を読み取った場合、所定の情報に基づいて提供を希望するサービス内容を選択する画面を表示部１５に表示する。ユーザ端末１０は、ユーザによってサービス内容が選択されると選択結果を受け付け、選択されたサービス内容を受付装置３０等に送信する。
【００７６】
次に、本実施形態の効果について説明する。
ユーザ端末１０は、画像を表示することが可能な表示部１５と、外部にあるサーバ２０との間で情報を送受信することが可能な通信部１６と、施設２においてユーザがサービスの提供を受けたい希望条件を受け付ける受付部１２と、受付部１２によって受け付けた希望条件に関する条件情報をサーバ２０に送信するよう通信部１６を制御する通信制御部１３と、サーバ２０に条件情報を送信することに応じて、サーバ２０から送信される希望条件の受付に関する予約情報を通信部１６によって受信した場合、予約情報に基づく画像１８を表示部１５に表示する表示制御部１４と、を備える。
ユーザ端末１０は、希望条件を受け付けると、サーバ２０に対して希望条件についての認証を求め、その認証の結果としての予約情報を受信する。さらに、ユーザ端末１０は、店舗に配される受付装置３０に、予約情報に基づく画像１８を読み取らせる。サーバ２０は、希望条件について認証を行って予約情報をユーザ端末１０に送信するのみであり、ユーザの順番待ちの登録を受け付けていない。すなわち、順番待ちを受け付けるシステムの規模が従来よりも大きくなることはなく、コストの増大も抑制することができる。よって、ユーザ端末１０は、従来よりも簡易な構成で施設２における順番待ちを登録することができる。
また、サーバ２０及び受付装置３０は、それぞれで共通の認証に関する鍵（認証鍵）を有しているので、サーバ２０と受付装置３０との間で順番待ちに関する情報の送受信を行う必要がない。よって、ユーザ端末１０は、サーバ２０との間で通信を確立できれば、施設２においてサービスの提供を受けるための予約をすることができる。また、サーバ２０と受付装置３０との間での通信に不具合がある場合でも、ユーザ端末１０は、施設２においてサービスの提供を受けるための予約をすることができ、その施設２での順番待ちの登録をすることができる。
また、受付装置３０は、ユーザ端末１０を介して予約をした場合と、施設２に入場して順番待ちの登録をした場合とのいずれの場合でも１つのリストで順番待ちを管理するので、例えば、どのような順で順番待ちをしているユーザを席に案内するのか等の施設２でのオペレーションが複雑になることを抑制することができる。
【００７７】
ユーザ端末１０では、受付部１２は、希望条件として、ユーザがサービスの提供を受けようとする施設２を指定する施設条件、ユーザがサービスの提供を受けようとする時間を指定する時間条件、及び、ユーザがサービスの提供を受けようとする人数を指定する人数条件のうち少なくとも１つの条件を受け付けることとしてもよい。
これにより、ユーザ端末１０は、ユーザによって受付装置３０に希望条件を別途入力させる手間を省くことができる。また、ユーザ端末１０は、施設２の従業員がユーザの希望条件を尋ねる手間を省くことができる。
【００７８】
ユーザ端末１０では、受付部１２は、通信部１６によって予約情報を受信できるようにするために、自端末（ユーザ端末１０）を特定する特定情報を受け付けることとしてもよい。この場合、通信制御部１３は、条件情報及び特定情報をサーバ２０に送信するよう通信部１６を制御することとしてもよい。
特定情報は、例えば、ユーザ端末１０で利用できるメールアドレス等である。これにより、サーバ２０は、特定情報に基づいてユーザ端末１０を特定することができる。また、ユーザ端末１０は、サーバ２０から送信される予約情報を受信することができる。
【００７９】
ユーザ端末１０では、通信部１６は、予約情報として、希望条件と、サーバ２０において希望条件に関する認証されることに応じて生成される認証内容とを含む情報を受信することとしてもよい。
サーバ２０及び受付装置３０は、例えば、希望条件に対する認証についての鍵として共通の認証鍵を有している。これにより、ユーザ端末１０は、予約情報に基づく画像１８を受付装置３０に読み取らせることにより、受付装置３０に対してサーバ２０で認証された予約情報であることを示すことができる。
【００８０】
情報処理システム１は、ユーザ端末１０、サーバ２０、及び、施設２に配される、順番待ちを受け付ける受付装置３０を備える。ユーザ端末１０は、画像を表示することが可能な表示部１５と、サーバ２０との間で情報を送受信することが可能な通信部１６と、施設２においてユーザがサービスの提供を受けたい希望条件を受け付ける受付部１２と、受付部１２によって受け付けた希望条件に関する条件情報をサーバ２０に送信するよう通信部１６を制御する通信制御部１３と、サーバ２０に条件情報を送信することに応じて、サーバ２０から送信された希望条件の受付に関する予約情報を通信部１６によって受信した場合、予約情報に基づく画像１８を表示部１５に表示する表示制御部１４と、を備える。サーバ２０は、ユーザ端末１０との間で情報を送受信することが可能なサーバ通信部２４と、サーバ通信部２４によって条件情報を受信した場合、条件情報に基づく希望条件に関する認証を行い、希望条件及び認証内容を含む予約に関する予約情報を生成する認証生成部２２と、認証生成部２２によって生成された予約情報をユーザ端末１０に送信するようサーバ通信部２４を制御するサーバ制御部２３と、を備える。受付装置３０は、ユーザ端末１０の表示部１５に表示される予約情報に基づく画像１８を撮像するカメラ部３４と、カメラ部３４によって撮像された画像に基づいて、認証内容を確認し、希望条件を取得する取得部３２と、取得部３２によって取得した希望条件に基づいて、施設２でのサービスの提供を受けるための順番待ちを登録する登録部３３と、を備える。
情報処理システム１では、ユーザ端末１０は、希望条件を受け付けると、サーバ２０に対して希望条件についての認証を求め、その認証の結果としての予約情報を受信する。さらに、情報処理システム１では、受付装置３０は、ユーザ端末１０の表示部１５に表示される予約情報に基づく画像１８を読み取る。情報処理システム１では、サーバ２０は、希望条件について認証を行って予約情報をユーザ端末１０に送信するのみであり、ユーザの順番待ちの登録を受け付けていない。すなわち、情報処理システム１では、順番待ちを受け付けるシステムの規模が従来よりも大きくなることはなく、コストの増大も抑制することができる。よって、情報処理システム１は、従来よりも簡易な構成で施設２における順番待ちを登録することができる。
また、サーバ２０及び受付装置３０は、それぞれで共通の認証に関する鍵（認証鍵）を有しているので、サーバ２０と受付装置３０との間で順番待ちに関する情報の送受信を行う必要がない。よって、情報処理システム１は、サーバ２０との間で通信を確立できれば、施設２においてサービスの提供を受けるための予約をすることができる。また、サーバ２０と受付装置３０との間での通信に不具合がある場合でも、情報処理システム１は、施設２においてサービスの提供を受けるための予約をすることができ、その施設２での順番待ちの登録をすることができる。
また、情報処理システム１は、ユーザ端末１０を介して予約をした場合と、施設２に入場して順番待ちの登録をした場合とのいずれの場合でも１つのリストで順番待ちを管理するので、例えば、どのような順で順番待ちをしているユーザを席に案内するのか等の施設２でのオペレーションが複雑になることを抑制することができる。
【００８１】
情報処理方法では、画像を表示することが可能な表示部１５と、外部にあるサーバ２０との間で情報を送受信することが可能な通信部１６と、を備えるコンピュータが、施設２においてユーザがサービスの提供を受けたい希望条件を受け付ける受付ステップと、受付ステップで受け付けた希望条件に関する条件情報をサーバ２０に送信するよう通信部１６を制御する通信制御ステップと、サーバ２０に条件情報を送信することに応じて、サーバ２０から送信された希望条件の受付に関する予約情報を通信部１６によって受信した場合、予約情報に基づく画像１８を表示部１５に表示する表示制御ステップと、を実行する。
情報処理方法は、上述したユーザ端末１０と同様の効果を奏することができる。
【００８２】
情報処理プログラムは、コンピュータに、画像を表示することが可能な表示機能と、外部にあるサーバ２０との間で情報を送受信することが可能な通信機能と、施設２においてユーザがサービスの提供を受けたい希望条件を受け付ける受付機能と、受付機能によって受け付けた希望条件に関する条件情報をサーバ２０に送信するよう通信機能を制御する通信制御機能と、サーバ２０に条件情報を送信することに応じて、サーバ２０から送信された希望条件の受付に関する予約情報を通信機能によって受信した場合、予約情報に基づく画像１８を表示機能に表示する表示制御機能と、を実現させる。
情報処理プログラムは、上述したユーザ端末１０と同様の効果を奏することができる。
【００８３】
上述したユーザ端末１０の各部は、コンピュータの演算処理装置等の機能として実現されてもよい。すなわち、ユーザ端末１０の受付部１２、通信制御部１３及び表示制御部１４は、コンピュータの演算処理装置等による、受付機能、通信制御機能及び表示制御機能としてそれぞれ実現されてもよい。
情報処理プログラムは、上述した各機能をコンピュータに実現させることができる。情報処理プログラムは、外部メモリ又は光ディスク等の、コンピュータで読み取り可能な非一時的な記録媒体に記録されていてもよい。
また、上述したように、ユーザ端末１０の各部は、コンピュータの演算処理装置等で実現されてもよい。その演算処理装置等は、例えば、集積回路等によって構成される。このため、ユーザ端末１０の各部は、演算処理装置等を構成する回路として実現されてもよい。すなわち、ユーザ端末１０の受付部１２、通信制御部１３及び表示制御部１４は、コンピュータの演算処理装置等を構成する、受付回路、通信制御回路及び表示制御回路として実現されてもよい。
また、ユーザ端末１０の表示部１５、記憶部１７及び通信部１６は、例えば、演算処理装置等の機能を含む、表示機能、記憶機能及び通信機能として実現されもよい。また、ユーザ端末１０の表示部１５、記憶部１７及び通信部１６は、例えば、集積回路等によって構成されることにより、表示回路、記憶回路及び通信回路として実現されてもよい。また、ユーザ端末１０の表示部１５、記憶部１７及び通信部１６は、例えば、複数のデバイスによって構成されることにより、表示装置、記憶装置及び通信装置として構成されてもよい。
【００８４】
また、サーバ２０の各部についても上述したユーザ端末１０と同様に機能、回路又は装置として実現されてもよい。すなわち、サーバ２０のサーバ通信部２４、認証生成部２２及びサーバ制御部２３は、サーバ通信機能、認証生成機能及びサーバ制御機能として実現されてもよく、サーバ通信回路、認証生成回路及びサーバ制御回路として実現されてもよい。サーバ２０のサーバ通信部２４は、サーバ通信装置として実現されもよい。
【００８５】
また、受付装置３０の各部についても上述したユーザ端末１０と同様に機能、回路又は装置として実現されてもよい。すなわち、受付装置３０のカメラ部３４、受付表示部３５、取得部３２及び登録部３３は、カメラ機能、受付表示機能、取得機能及び登録機能として実現されてもよく、カメラ回路、受付表示回路、取得回路及び登録回路として実現されてもよい。受付装置３０のカメラ部３４は、カメラ装置として実現されてもよい。
【符号の説明】
【００８６】
１  情報処理システム
１０  ユーザ端末
１２  受付部
１３  通信制御部
１４  表示制御部
１５  表示部
１６  通信部
１７  記憶部
２０  サーバ
２２  認証生成部
２３  サーバ制御部
２４  サーバ通信部
３０  受付装置
３２  取得部
３３  登録部
３４  カメラ部
３５  受付表示部
【要約】      （修正有）【課題】簡易な構成で施設における順番待ちを受け付けることが可能なユーザ端末、情報処理システム、情報処理方法及び情報処理プログラムを提供する。【解決手段】情報処理システム１において、ユーザ端末１０は、画像１８を表示することが可能な表示部１５と、外部にある外部装置との間で情報を送受信することが可能な通信部と、施設２においてユーザがサービスの提供を受けたい希望条件を受け付ける受付部と、受付部によって受け付けた希望条件に関する条件情報を外部装置に送信するよう通信部を制御する通信制御部と、外部装置に条件情報を送信することに応じて、外部装置から送信される希望条件の受付に関する予約情報を通信部によって受信した場合、予約情報に基づく画像を表示部に表示する表示制御部と、を備える。【選択図】図１【図１】
0006823216.tif 000002
【図２】
0006823216.tif 000003
【図３】
0006823216.tif 000004
【図４】
0006823216.tif 000005
【図５】
0006823216.tif 000006
【図６】
0006823216.tif 000007
【図７】
0006823216.tif 000008